(57)【特許請求の範囲】
【請求項１】
浴槽に固定されるノズルと加圧装置を備え、前記浴槽に浴槽水を貯溜した状態で、前記加圧装置により、前記浴槽内から浴槽水を吸入し、加圧した状態で、前記ノズルへ供給して、浴槽内へ噴射する装置であって、
前記ノズルは、前記加圧装置により加圧された浴槽水が流入する流入室と、該流入室に組み込まれ、浴槽水の噴射口を備えた噴射部位と該噴射部位に連続し前記流入室内に位置する室内部位とを有する噴射体であって、
前記流入室内の浴槽水を前記噴射口に導く管路を有する前記噴射体と、前記噴射体を把持する可とう性の把持体であって、前記把持体は、前記噴射口を前記流入室の外部に望ませた状態で、前記室内部位が前記流入室内で傾斜した姿勢で首振り可能に前記流入室に組み込まれるようにして、前記流入室を閉鎖する前記把持体と、前記流入室に浴槽水を導く給水機構であって、前記給水機構は、前記流入室の内壁面に沿った旋回流を発生させるものであって、該旋回流を前記室内部位に作用させることで、前記室内部位が前記流入室内で傾斜した姿勢で前記噴射体を首振り運動させて公転させることを特徴とする浴槽水噴射装置。
【請求項２】
請求項１記載の浴槽水噴射装置であって、前記給水機構は、前記流入室の周壁において前記流入室に偏心して連通したノズル管路を有する浴槽水噴射装置。
【請求項３】
請求項１記載の浴槽水噴射装置であって、前記噴射体の傾斜角度を規制するガイド部を有することを特徴とする浴槽水噴射装置。
【請求項４】
請求項１記載の浴槽水噴射装置であって、前記流入室に組み込まれた前記噴射体は、前記噴射部位を前記室内部位よりも小径の柱状体として備える、浴槽水噴射装置。
【請求項５】
請求項１記載の浴槽水噴射装置であって、前記把持体は、前記噴射体が嵌合されて該噴射体を把持する筒状の把持部を有し、前記流入室に流入した浴槽水の圧力を前記筒状把持部の外壁に作用させる、浴槽水噴射装置。
【請求項６】
請求項５記載の浴槽水噴射装置であって、前記把持体は前記噴射体の把持部位の周りに外側に凸の屈曲部を有する浴槽水噴射装置。
【請求項７】
請求項５記載の浴槽水噴射装置であって、前記把持体は、前記噴射体の把持部位を中心とした径方向に沿って、把持体厚さを異なるものとした、浴槽水噴射装置。
【請求項８】
請求項１記載の浴槽水噴射装置であって、前記ノズルの有する前記噴射体は、前記流入室への浴槽水の流入の無い非流入時において、前記室内部位を前記流入室に対して傾斜させている、浴槽水噴射装置。
【請求項９】
請求項１ないし請求項８いずれか記載の浴槽水噴射装置であって、前記噴射口近傍に、大気と連通した空気混入室を設けたことを特徴とする、浴槽水噴射装置。
【請求項１０】
請求項１ないし請求項８いずれか記載の浴槽水噴射装置であって、前記流入室の中心に、大気と連通した空気導入口を設けたことを特徴とする、浴槽水噴射装置。
【請求項１１】
請求項１ないし請求項１０いずれか記載の浴槽水噴射装置であって、前記ノズルを複数備えたことを特徴とする浴槽水噴射装置。
【請求項１２】
請求項１ないし請求項１１いずれか記載の浴槽水噴射装置であって、前記噴射体が起こす公転の周期で定まる周波数は約３Ｈｚ以上とされている、浴槽水噴射装置。
【請求項１３】
請求項１ないし請求項１２いずれか記載の浴槽水噴射装置であって、前記浴槽水噴射装置を浴槽に固定し、該浴槽内の浴槽水を、浴槽に入浴した人体に向けて噴射することを特徴とするマサージ浴槽装置。
【発明の詳細な説明】
【０００１】
【発明の属する技術分野】
本発明は、水や温水を貯溜した浴槽内に、加圧した状態の浴槽水を噴射して、人体のマッサージを行なう浴槽水噴射装置に関するものである。
【０００２】
【従来の技術】
従来、浴槽本体の側壁部に設けた吸込口から浴槽水を吸込み、循環ポンプにより循環配管を通じて外部循環させた上、浴槽本体の側壁部に設けた噴射口から空気とともに気泡水流として勢い良く浴槽本体内部に噴射するようにした気泡水流浴槽が広く用いられている。この様な気泡水流浴槽では、入浴者が水流を当てることで、マッサージや血行促進を行なっていた。
【０００３】
【発明が解決しようとする課題】
しかしながら、従来では、マッサージ感を得たり、血行促進を行なうには多量の浴槽水を加圧循環する必要があり、ポンプが大型化していた。又、ポンプの大型化に伴い運転時の騒音や振動といった問題があった。
又、広範囲をマッサージする場合にはノズルを複数設ける必要があり、さらに装置が複雑になってしまうといった問題があった。
又、水流自体が単調である為に、入浴者への刺激も単調となり、いくら強い水流をあてても血行促進が行われないといった問題もあった。
【０００４】
本発明の浴槽水噴射装置は、このような課題を解決する為になされたものであり、本発明の目的は、ポンプや装置を複雑や大型化することなく、入浴者へのマッサージを行なう浴槽水噴射装置を提案するものであり、さらには入浴者への広範囲で血行促進効果のある水流を噴射する浴槽水噴射装置を提案するものである。
【０００５】
【課題を解決するための手段および作用・効果】
上記目的を達成するために請求項１は、浴槽に固定されるノズルと加圧装置を備え、前記浴槽に浴槽水を貯溜した状態で、前記加圧装置により、前記浴槽内から浴槽水を吸入し、加圧した状態で、前記ノズルへ供給して、浴槽内へ噴射する装置であって、前記ノズルは、前記加圧装置により加圧された浴槽水が流入する流入室と、該流入室に組み込まれ、浴槽水の噴射口を備えた噴射部位と該噴射部位に連続し前記流入室内に位置する室内部位とを有する噴射体であって、前記流入室内の浴槽水を前記噴射口に導く管路を有する前記噴射体と、前記噴射体を把持する可とう性の把持体であって、前記把持体は、前記噴射口を前記流入室の外部に望ませた状態で、前記室内部位が前記流入室内で傾斜した姿勢で首振り可能に前記流入室に組み込まれるようにして、前記流入室を閉鎖する前記把持体と、前記流入室に浴槽水を導く給水機構であって、前記給水機構は、前記流入室の内壁面に沿った旋回流を発生させるものであって、該旋回流を前記室内部位に作用させることで、前記室内部位が前記流入室内で傾斜した姿勢で前記噴射体を首振り運動させて公転させる
ことを特徴としている。
【０００６】
上記した構成を有する本発明の浴槽水噴射装置は、前記加圧装置によって加圧された浴槽水を、前記給水機構により前記流入室の内壁面に沿った旋回流として流れを発生させる。
この旋回流は室内部位周りで流速差を起こすので、流入室では、この流速差に基づいて力が生じる。この力は、流体中を物体が移動する際に、その物体を挟んだ流体の速度差に基づいて当該物体に作用する揚力と同質のものである。よって、以後の説明において、流速差に基づく力を、説明の簡便のために揚力と称することとする。
【０００７】
このように、流入室に室内部位が入り込み、この室内部位周りの旋回流が起きている場合の揚力ＦＬは、その発生の時点で、室内部位の速度はゼロであり、相対的には、旋回流の流速Ｖ[ｍ／ｓｅｃ]の影響を受ける。そして、この揚力ＦＬは、揚力を受ける室内部位の最大射影面積Ｓに相当する物理量としてその長さをＬ[ｍ]、浴槽水の密度をρ[ｋｇ／ｍ3]とすると、次式で表される。式中のＣＬは揚力係数である。
ＦＬ＝（ρ・Ｖ２・ＣＬ・Ｌ）／２  [Ｎ]
なお、こうして揚力ＦＬが室内部位に作用すると、その結果として室内部位には抗力ＦＤ（＝（ρ・Ｖ２・ＣＤ・Ｌ）／２  [Ｎ]）も作用する。このＣＤは抗力係数である。
今、流入室で室内部位周りの旋回流が起きた状況を考えると、既述したように、室内部位には揚力が作用する。この揚力は、室内部位周りの旋回流の流速が大きい側に旋回流中中央側から外向きに働く。
【０００８】
その一方、前記噴射体を可とう性有する把持体で把持し、前記把持体は、前記室内部位を前記流入室で傾斜した姿勢で首振り可能に組み込んで、前記流入室を閉鎖している。
従って、前記受力部位がこの揚力を受けることで、前記把持体が変形しながら、前記受力部位が、流入室内壁側に傾くと共に、この揚力と抗力の合力方向に動く。
又、この合力は、抗力が旋回流の流れ方向に沿ったものであることから、室内部位を旋回流の流れ方向に沿って動かす方向に働く。
こうなると、室内部位周りの旋回流の流速差の状況も変化し、この新たな状況下での揚力・抗力により、室内部位は傾斜した姿勢のままで旋回流の流れ方向に移動する。このため、噴射体は、首振り運動して流入室において公転する。以下、この公転を首振り公転と称する。そして、この噴射体の噴射口は流入室の外部に臨んでいることから、噴射口に導かれた浴槽水は、噴射体の首振り箇所を頂上とする円錐状に噴射される。こうした噴射にあっても、噴射体の首振り公転に倣って公転する。こうした噴射を公転噴射と場合により略称する。
しかも、上記のように室内部位が揚力を受けて流入室内壁側に傾斜すると、この室内部位は、流入室の旋回流に直に押されることになる。よって、室内部位は、旋回流から直接運動エネルギを受けて傾斜姿勢のままで旋回流の流れ方向に移動することになり、噴射体の首振り公転は促進される。
【０００９】
なお、ここでいう運動エネルギーＡは次式で定義できるものをいい、水の流れ（旋回流）に支配されるエネルギーである。
Ａ＝（ρ・Ｖ２・Ｑ）／２  [Ｗ]
ここで、ρは水の密度、Ｑは、瞬間流量[ｍ3／ｓｅｃ]を表し、Ｖは旋回流の速度を表す。
また、遠心力は次式で定義できるものをいい、水の回転や旋回によって室内部位が公転することによって発生する力であって、前記公転もしくは旋回の回転半径方向に発生する力である。
Ｆ＝ＭＶ２／Ｒ  [Ｎ]
ここで、Ｍは噴射体の質量を、Ｖは公転の速度を、Ｒは公転半径を表す。
【００１０】
又、把持体により流入室を密閉しているので、こうした噴射体より浴槽水噴射する場合でも噴射体と流入室の隙間から浴槽水が噴出することが無いので、噴射体より噴射される噴射の軌跡と干渉することが無く、確実に円錐状の浴槽水噴射を実現できる。
又、さらに把持体と噴射体の摺動を無くすことが可能となるので、摺動部での摩耗やゴミ噛み、固着などの問題が発生しない。
これらの結果、本発明の浴槽水噴射装置によれば、ノズル自体の駆動を伴うような複雑な装置を用いることなく円錐状の浴槽水噴射を実現でき、これにより、広範囲に浴槽水を入浴者に当てることが出来る。
【００１１】
しかも、こうした広範囲への噴射を図る上で、流入室への浴槽水流入を図って旋回流を起こし、この旋回流により噴射体に流入室での首振り公転を起こせば足りる。よって、噴射体の首振り公転を浴槽水の旋回流のみで起こしており、この首振り公転実現にモータ等の装置を一切必要としない。このため、モータ駆動等に基づく騒音や振動を発生させることがなく、静音性・静振性に非常に優れるという利点がある。
また、上記した広範囲噴射を実現するための噴射体の首振り公転を、流入室への上記した噴射体組み込み、流入室への浴槽水導入による旋回流生成で起こすので、構成の簡略化、コスト低減を図ることができる。なお、構成の簡略化を通して、装置のコンパクト化を図ることもできる。
【００１２】
また、室内部位周りの流速差の発生状況は、流入室への浴槽水導入の様子や流入室形状等で調整できる。よって、噴射体の首振り公転状況も調整でき、これにより、噴射態様の多様化を図ることができる。例えば、上記した揚力や抗力、遠心力を高めて噴射体を高速で首振り公転させて噴射できるほか、噴射体の首振り公転状況を安定化させることで、この首振り公転の軌跡を容易に安定したものとでき、噴射の安定化も達成できる。
このように噴射体を高速首振り公転させれば、噴射された浴槽水が入浴者に当るポイントも高速で移動することになる。つまり、この首振り公転の周期で規定される公転周波数を高めることで、入浴者があたかも噴射の着水範囲（着水ポイントの集合箇所）の全体で着水を受けているように錯覚させることができる。
【００１３】
又、この様に全体で着水を受けているように錯覚させる様な場合でも、実際は噴射が高速で移動しているので、同時に連続的な噴射を受ける場合に比べて血管の拡張収縮が行われ、その結果血行が促進される。
【００１４】
また、こうした各着水ポイントへの着水の推移を起こしていても上記の錯覚を起こすので、着水範囲の総てに同時に浴槽水が着水するような連続的な噴射を要しない。よって、その分、節水効果があり、加圧循環ポンプを小型化できる。
【００１５】
上記目的を達成するために請求項２は、
前記給水機構は、前記流入室の周壁において前記流入室に偏心して連通したノズル管路を有している。こうすれば、前記流入室へ浴槽水の流入を起こす時、浴槽水が流入室に最初に流入した直後の状態において、その流入した浴槽水は、流入室内壁に沿った室内部位の周りの旋回流を流速差を持って確実に起こす。これにより、噴射体の首振り公転・噴射状態の安定化をもたらすことができる。
【００１６】
また上記課題を解決する為に請求項３は、前記噴射体の傾斜角度を規制するガイド部を有することを特徴としている。
従って、噴射体の傾斜角度をガイド部によって、確実に規制することが可能となり、噴射体が傾きながら噴射することで形成される、浴槽水の噴射軌跡を確実にすることが可能となる。
よって、入浴者に噴射を当ててマッサージを行なう場合においても、確実に人体に噴射水を着水させることが可能となる。
【００１７】
また上記課題を解決する為に請求項４は、流入室に組み込まれた噴射体を、その噴射部位が室内部位よりも小径の柱状体とすることを特徴としている。
こうすれば、噴射体は流入室の小径側で噴射口を流入室の外部に臨ませ、既述したように室内部位を公転させるので、噴射体（室内部位）の首振り運動の中心部分も小径となる。よって、噴射体が流入室から受ける浴槽水の水圧の受圧面積は狭くなり、公転の際の中心部分での抵抗も小さくなる。これらの点も、噴射体の首振り公転の高速化や安定化に有益である。
【００１８】
又上記課題を解決する為に請求項５は、前記把持体は、前記噴射体が嵌合されて該噴射体を把持する筒状の把持部を有し、前記流入室に流入した浴槽水の圧力を前記筒状把持部の外壁に作用させることを特徴としている。
こうすれば、筒状把持部自体を浴槽水圧力により締め付けできるので、噴射体のシール性を自ら高めることができる。この結果、シールの信頼性が高まり、把持部からの浴槽水漏洩を好適に抑制できる。しかも、把持部からの漏洩浴槽水が少ないことから、噴射口からの公転噴射をこの漏洩浴槽水で乱さないようにでき、公転噴射の安定化に有益である。更には、噴射体と把持体との接着を要しないので、接着剤およびその塗布工程も不要となる。よって、製造工程の簡略化を図ることもできる。
【００１９】
又上記課題を解決する為に請求項６は、前記把持体は前記噴射体の把持部位の周りに外側に凸の屈曲部を有することを特徴としている。こうすれば、把持体の厚さを極端に薄くしなくても、屈曲部の曲げ方向の変形を容易に起こすので、把持体の変形をさらに容易にすることができる。よって、把持体の強度を保ったまま、噴射体の首振り公転を容易に引き起こすことができる。
又、流入室の外側に凸の形状とすることで、前記加圧装置による浴槽水の加圧がなされて、前記把持体に水圧が作用しても、外側に向かっての凸形状を保つことが出来るので、前述した様に、噴射体の首振り公転を容易に引き起こすことが可能であす。
【００２０】
また上記課題を解決する為に請求項７は、前記把持体が、前記噴射体の把持部位を中心とした径方向に沿って、把持体厚さを異なるものとしたことを特徴としている。
こうすれば、噴射体の首振り公転に際して把持体の変形が容易となるので、噴射体の首振り公転をより阻害しないようにでき、この首振り公転の信頼性を高めることができる。なお、把持体の一部の厚さを薄くして把持体の変形が起き易くしても、部分的に把持体厚さを厚くして補強することで、把持体の破損を防ぐことができる。つまり、把持体の厚さを径方向に徐変して不均一にすることで、噴射体の首振り公転に必要な柔軟性を保ったまま強度や信頼性を上げることが可能である。この他、把持体厚みが薄い部分から厚い部分に急変するものでも良い。
【００２１】
また上記課題を解決する為に請求項８は、前記ノズルの有する前記噴射体は、前記流入室への浴槽水の流入の無い非流入時において、前記室内部位を前記流入室に対して傾斜させていることを特徴としている。
例えば、ノズルの噴射方向を水平面に対して傾斜もしくは平行にした姿勢を採るものとし、この噴射体は自身に作用する重力により非噴射時において室内部位を流入室に対して傾斜させているものとできる。こうすれば、浴槽水の流入室流入の前から噴射体の室内部位と流入室内壁との間を狭くできる。よって、浴槽水の流入室流入の当初から、上記の狭くなった間を浴槽水が通過する間の流速を高めることができ、旋回流の流速差を確実に引き起こすことができる。
このため、浴槽水流入当初から、上記した揚力を確実に発生させることができるので、噴射体の首振り公転・噴射状態の安定化を容易に図ることができる。
【００２２】
このように噴射体を傾斜させるに当たり、次のようにすることもできる。つまり、流入室底面の中央に突起を設け、この突起により、噴射体の室内部位を非噴射時において流入室に対して傾斜させることもできる。こうしても、浴槽水流入当初から確実に揚力を発生させて、噴射体の首振り公転・噴射状態を容易に安定化することができる。こうした突起を噴射体における室内部位下端に有するようにすることもできる。
【００２３】
又、上記課題を解決する為に請求項９は、前記噴射口近傍に、大気と連通した空気混入室を設けたことを特徴としている。
この様な構成で、加圧装置で加圧された浴槽水が噴射口より噴射されると、浴槽水は噴射口より噴射される時に、速度が速められた状態で前記空気混入室を貫通して浴槽内へ噴射される。
この噴射された浴槽水は、前記空気混入室内部の浴槽水を、噴射された浴槽水自身の粘性により引張って浴槽内へと噴射し、前記空気混入室内部の浴槽水を浴槽内へと排出した後、前記空気混入室に連通した大気から、噴射された浴槽水が、該浴槽水と空気の表面摩擦抵抗により、空気を大気から引き込んで、浴槽内へと噴射する。
この時、前記浴槽水と前記空気が空気混入室から噴射される際に、前述した様に噴射体は高速で公転しながら浴槽水を噴射するので、この噴射される浴槽水と空気も一緒に公転しながら噴射されることにより、前記空気は浴槽内の浴槽水によって引き千切られ、微細な気泡として、前記浴槽水と一緒に浴槽内に噴射される。
【００２４】
この様な、浴槽水噴射装置を用いて人体に浴槽水を当てた場合、前述した浴槽水の公転によるマッサージ効果や血行促進が得られるだけでなく、浴槽水の噴射に気泡を混入することで人体への刺激を適度に和らげることが出来る。
又、本発明においても特別な装置等を用いる必要が無い。
【００２５】
又上記課題を解決する為に請求項１０は、前記流入室の中心に、大気と連通した空気吸入口を設けたことを特徴としている。
このような構成で浴槽水を前記噴射体より噴射すると、
前述した様に前記流入室には前記流入室内部に旋回流を起こす様にしてあるので、前記流入室内部では、浴槽水が旋回することで、浴槽水自体に遠心力が作用し、浴槽水が前記流入室壁面に沿って旋回し、前記流入室中心の圧力が低下し、前記流入室の中心圧力を大気圧力以下とすることが出来る。
【００２６】
又、前記流入室中心には大気と連通した前記空気導入口を設けてあるので、前記流入室は前記空気導入口より空気を吸込み、浴槽水と一緒に前記流入室に設けられた前記噴射体へと供給される。
従って、前記噴射体へと供給された浴槽水と空気は、前記噴射口より前記浴槽内へと噴射される。又、この時、前述した様に噴射体は高速で公転しながら浴槽水を噴射するので、この噴射される浴槽水と空気も一緒に公転しながら噴射されることにより、前記空気は浴槽内の浴槽水によって引き千切られ、微細な気泡として、前記浴槽水と一緒に浴槽内に噴射される。
この様な、浴槽水噴射装置を用いて人体に浴槽水を当てた場合、前述した浴槽水の公転によるマッサージ効果や血行促進が得られるだけでなく、浴槽水の噴射に気泡を混入することで人体への刺激を適度に和らげることが出来る。
又、本発明においても特別な装置等を用いる必要が無い。
【００２７】
又上記課題を解決する為に請求項１１は、前記浴槽水噴射装置が、前記ノズルを複数設けたことを特徴としている。
こうすれば、単に前記ノズルにより円錐状に拡大噴射して、入浴者の一部位へ、広範囲に水流を当てるだけでなく、複数の部位へ広範囲に同時に水流を当てることが出来る。例えば、両足の部位と腰の部位、肩の部位といった様に同時に、水流を当てることで、マッサージを行なって血行促進をすることが出来る。
【００２８】
又上記課題を解決する為に請求項１２は、前記噴射体が起こす公転の周期で定まる周波数は約３Ｈz以上とされていることを特徴としている。
こうした周波数の噴射を行なう噴射体を有するノズルを、マッサージ浴槽装置用のノズルとして用いた場合、人体への浴槽水の着水ポイントは３Ｈｚ以上の周波数で実際は推移する。しかし、このような周波数での着水ポイント推移であると、人体は着水ポイントが推移していることを認識しにくい。このため、あたかも円錐状の公転噴射の軌跡全体に浴槽水が着水しているように錯覚させることが可能となり、結果として浴槽水量を減らすことができる。この時、当然噴射対象範囲が小さい場合と大きい場合とでは、同じ首振り公転周波数でも首振り公転速度は異なり、噴射範囲が小さい場合には移動速度は小さくても良く、噴射範囲が大きい場合には移動速度は大きくなる。
又、この様に浴槽水が高速で推移している場合であっても、人体への着水ポイントでは、浴槽水が推移することで、血管の拡張収縮が繰り返されるので、その結果血行が促進される。
【００２９】
又上記課題を解決する為に請求項１３は、前記浴槽水噴射装置を浴槽に固定し、該浴槽内の浴槽水を、浴槽に入浴した人体に向けて噴射することを特徴とするマサージ浴槽装置であることを特徴としている。
こうすれば、使用者が全身で入浴もしくは部分的な入浴を行なうことで、前述したような作用効果で、全身もしくは部分的に血行を促進することが出来る。
【００３０】
【発明の実施の形態】
次に、本発明の実施の形態を図面を用いて説明する。図１は本発明の浴槽水噴射装置を適用した実施例のマッサージ浴槽装置１の全体構成図を説明する説明図である。
図示するように、マッサージ浴槽装置１は、浴槽水を貯溜する浴槽２と、加圧装置として加圧循環ポンプ５と、ノズル１０、制御装置３、操作装置４で構成されている。
又、前記浴槽２には前記浴槽２内に開口した給水口７を有し、前記給水口７と前記加圧循環ポンプ５と前記ノズル１０とは、浴槽水を循環する為の循環路６により接続されている。
又、前記制御装置３には、前記操作装置４、加圧循環ポンプ５、電源が接続されており、前記加圧循環ポンプ５の運転を制御する様に構成されている。
ここで、前記操作装置４と前記制御装置３とはコード等により直接接続されていても良いし、赤外線等の電波信号により接続されていても良い。
又、給水口７には図示しないフィルターが備えられており、浴槽内のゴミが下流の加圧循環ポンプ５やノズル１０に行かない様に構成されている。
このような構成における、浴槽水の流れについて説明する。上記マッサージ浴槽装置１は、例えば、リモコンなどの操作装置４により、使用操作がなされると、前記制御装置３により、前記加圧循環ポンプ５を作動させる。
前記加圧循環ポンプ５が作動すると、前記加圧循環ポンプ５は、前記給水口７より前記浴槽２内の浴槽水を吸入し、循環路６を通して前記ノズル１０へと浴槽水を送り込み、前記ノズル１０より再び浴槽内へ噴射され、送り込まれる。
【００３１】
次に、ノズル１０について説明する。
図２は噴射体２０に関する説明図であり、図２（ａ）は噴射体２０の断面図、図２（ｂ）は噴射体２０の外面図を示している。
図３は弾性体３０の断面図であり、図４はノズル１０に関する図、図５はノズル１０に関する断面図（Ａ−Ａ断面）を示している。
図４に示す様に、ノズル１０は、浴槽水が流入する流入室として円筒状に形成された旋回室１５を備え、この旋回室１５に、循環路６と旋回室流入路１１を経て浴槽水を給水する構成になっている。
旋回室流入路１１は、ノズル管路であり、循環路６より通水断面積が小さく構成されており、旋回室１５の中心に対して偏心して当該旋回室１５に接続されている。
よって、旋回室流入路１１からの浴槽水は、旋回室１５に対してその接線方向から流入し、  図５に示す様に、旋回室１５内壁に沿って旋回する旋回流を生成する。
この場合、旋回室流入路１１の通水断面積は循環路６より小さいことから、旋回室１５に流入する浴槽水の流速を高めることができる。
【００３２】
又、ノズル１０は、この旋回室１５に噴射体２０を組み込んで備える。噴射体２０は、図２に示す様に、浴槽水の噴射口２５を備えた小径円柱の噴射部位２２と、この噴射部位に連続した大径円柱の受力部位２１を有する。この受力部位２１は、旋回室１５内に位置して上記の旋回流から後述の種々の力を受け、噴射体２０の後述する首振り公転駆動等に関与する。
【００３３】
受力部位２１は、横方向に貫通する給水管路２３を備え、この給水管路２３から、旋回室１５内の浴槽水を噴射口２５に導く。給水管路２３は、受力部位２１に十字に交差して開けられており、噴射口２５へ浴槽水が導かれる際に整流がなされるので、噴射口２５からの浴槽水噴射は安定する。
従って、旋回室流入路１１から旋回室１５に浴槽水が流入すると、この浴槽水は、旋回室１５の内周壁面に沿った受力部位２１周りの旋回流を引き起こす。
【００３４】
又、前記噴射体２０は、弾性体３０を介してノズル１０に固定されており、前記弾性体３０は、図３に示す様に、外周にリング状に固定部３６を有し、該固定部３６から中心に向かって凸状の屈曲部３５と、円筒状に開口した把持部３８より構成されている。
又、前記噴射体２０は噴射部位２２を前記把持部３８に挿入された状態で、前記旋回室１５内に室内部位２１を備え、固定部３６を旋回室１５と弾性体抑え３７で挟み込む状態で、前記ノズルに固定されている。
【００３５】
又、噴射体２０は、前記弾性体抑え３７に設けられた開口部１３から、噴射口２５を旋回室１５の外部に臨ませた状態で、前記弾性体３０により噴射体２０を支持している。しかも、噴射体２０は、前記小径の噴射部位を前記把持部３８に挿入されているだけなので、弾性体３０は屈曲部３５を変形させることで、噴射体２０を支持した上で、受力部位２１を旋回室１５内において各方向に容易に傾斜可能とすると共に、この受力部位２１を傾斜した姿勢で首振り可能としている。
又、噴射体２０は、把持部３８により把持されているので、旋回室１５内部で噴射体２０自身が中心軸を中心に回転する自転が起こらない様になっている。
又、公転は、受力部位２１と上記の旋回流で引き起こされるが、その詳細については、後述する。
【００３６】
本実施例では、図示するように、円筒状の旋回室１５の内径に対して、受力部位２１の外径を約４０％とした。しかし、受力部位２１の外径を旋回室１５の内径の約３５〜８０％、好ましくは約４０〜７０％とすることができる。こうした内外径比のもたらす効果については後述する。
【００３７】
旋回室１５の下流壁は、図示するように噴射体２０の噴射部位２２の側で小径とされたテーパガイド部１４とされている。このテーパガイド部１４は、受力部位２１、延いては噴射体２０の最大傾斜角度を規制し、噴射体の公転角度を規制している。
【００３８】
ここで、上記構成のノズル１０における浴槽水噴射の様子や、その挙動について説明する。
図６は旋回室１５に浴槽水が流入してからの受力部位２１の挙動とこの受力部位２１にかかる力の様子を時間経過に沿って説明する説明図である。
又、図７は把持部３８が噴射体２０を把持する挙動を説明する図である。
又、図８は受力部位２１がこうした挙動を採ることで得られる浴槽水噴射の様子を説明する説明図である。
図６に示すように、今、旋回室流入路１１から旋回室１５に浴槽水を流入させる（時刻ｔ０）。この場合、浴槽水は、通路断面積大の循環路６から通水断面積小の旋回室流入路１１を通過してくることから、大きな流速で旋回室１５に流入する。
よって、この浴槽水が衝突等を起こすことで供与することのできる運動エネルギは、高まる。
【００３９】
こうして旋回室１５に浴槽水が流入すると、浴槽水は、旋回室１５の内壁に沿って受力部位２１周りに旋回する旋回流を起こす。この旋回流における流速は、旋回室流入路１１の連通部でその流速Ｕｉｎが最も高い。
流入浴槽水が最初に旋回を始める場所、即ち旋回室流入路１１の開口の延長線上にある周壁部位１５ａと、当該部位に対向する周壁部位１５ｂとでは、それぞれの流速Ｕａと流速Ｕｂに差が生じ、両者の関係は、Ｕａ＞Ｕｂとなる。つまり、周壁部位１５ａから周壁部位１５ｂまで浴槽水が行き渡る（旋回する）間に、旋回室１５内での流れ分散や旋回室１５内壁面との浴槽水接触、浴槽水粘性、表面摩擦等の影響を受け、浴槽水は減速する。
【００４０】
よって、受力部位２１周りで浴槽水の流速差が生じる。この場合、移動するものは流体（浴槽水）であるものの、この浴槽水と受力部位２１との相対的な関係では、流体中を物体が移動する状況と変わるものではない。
従って、流体中を物体が移動する際に、その物体を挟んだ流体の速度差に基づいて当該物体に揚力が作用する状況が、旋回室１５における浴槽水と受力部位２１との間で起き、受力部位２１には揚力と同質の力が作用する。なお、便宜上、この力を揚力と称するのは、既述した通りであるが、他の現象で例示するならば、このように流体の速度差によって揚力が発生することは、飛行機の翼表面の速度差、すなわち圧力差によって揚力を発生することと同様である。
【００４１】
図４に示すように、旋回室１５に受力部位２１が入り込み、図６の時刻ｔ０では、次のようになる。この時刻ｔ０で停止している受力部位２１周りの旋回流が起きることから、その揚力ＦＬは、周壁部位１５ａの旋回流の流速Ｕａ[ｍ／ｓｅｃ]の影響を受ける。そして、この揚力ＦＬは、揚力を受ける受力部位２１の最大射影面積をＳ[ｍ２]、浴槽水の密度をρ[ｋｇ／ｍ3]とすると、次式で表される。式中のＣＬは揚力係数である。
ＦＬ＝（ρ・Ｖ２・ＣＬ・Ｓ）／２  [Ｎ]
こうして揚力ＦＬが受力部位２１に作用すると、その結果として受力部位２１には抗力ＦＤ（＝（ρ・Ｖ２・ＣＤ・Ｓ）／２  [Ｎ]）も作用する。このＣＤは抗力係数である。
上記の式中の最大射影面積Ｓは、受力部位２１の長さＬ[ｍ]に依存することから、受力部位２１の長さＬを長くすれば、揚力・抗力を大きくできる。
【００４２】
図６の時刻ｔ０に示すように、旋回室１５で受力部位２１周りの旋回流が起きると、既述したように、受力部位２１には揚力が作用する。この揚力は、受力部位２１周りの旋回流の流速が大きい周壁部位１５ａの側に旋回流中中央側から外向きに働く。その一方、受力部位２１は、旋回室１５において、傾斜した姿勢で首振り可能であることから、この揚力ＦＬを受けて図中矢印ＦＬで示す方向に傾斜する。こうして、受力部位２１が旋回室１５の内壁側に傾くと、時刻ｔ１では、この揚力ＦＬと抗力ＦＤが共に作用しその合力方向に動く。この合力は、抗力が旋回流の流れ方向に沿ったものであることから、受力部位２１を旋回流の流れ方向に沿って動かす方向に働く。
【００４３】
こうなると、受力部位２１が傾いた側で旋回流の通過間隔が狭小となり、この狭小で旋回流流速は高まる。この状況は間隔狭小箇所が受力部位２１周りに移動するように起きるので、旋回流の最も流速の大きい箇所も旋回室１５の内周壁に沿って移動する。従って、流速の最も大きい箇所の移動に伴って、揚力ＦＬの向き並びに抗力ＦＤの向きも変わることから、時刻ｔ２，ｔ３，ｔ４と進むほどに、受力部位２１は傾斜した姿勢のままで旋回流の流れ方向に移動する。なお、こうして揚力・抗力の影響を受けて噴射体が公転を始めると、旋回室径方向にこの噴射体に遠心力が作用し、噴射体２０の首振り公転はさらに促進される。
【００４４】
このため、噴射体２０は、弾性体３０による支持箇所、把持部３８を中心に首振り運動して旋回室１５において公転（首振り公転）する。そして、この噴射体２０の噴射口２５は旋回室１５の外部に臨んでいることから、噴射口２５に給水管路２３を経て導かれた浴槽水は、噴射体２０の首振り中心の箇所を頂上とする円錐状に噴射される。こうした噴射にあっても、噴射体の首振り公転に倣って公転し、既述した円錐状の公転噴射となる。
【００４５】
こうしたノズル１０によれば、次の利点がある。図７に示す様に、旋回室１５への給水が行われると、既述したように噴射体２０は首振り公転し、この際、旋回室１５は浴槽水で満水状態にある。従って、旋回室内の浴槽水は、テーパガイド部１４と噴射体２０の隙間を通って弾性体３０の把持部３８周囲に達し、浴槽水圧力を把持部３８外壁に及ぼす。把持部３８は、この浴槽水圧力を受けて、嵌合済みの先端小径の噴射部位２２を図中矢印で示すように外部から締め付けるので、噴射体２０と弾性体３０とのシール性を高める。  この結果、噴射体シールの信頼性が高まり、把持部３８からの浴槽水漏洩を好適に且つ確実に抑制できる。しかも、把持部３８からの漏洩浴槽水を起こさないので、噴射口２５からの公転噴射をこの漏洩噴射水で乱さないようにできるので、公転噴射の安定化に有益である。
【００４６】
更には、噴射体２０を弾性体３０で支持するに当たり接着を要しないので、接着剤およびその塗布工程も不要となる。よって、ノズル１０の製造工程や組み付け工程の簡略化を図ることもでき、コスト低減にも有益である。また、上記の締め付けにより、噴射体２０の既述した自転を確実、且つ容易に起きないようにできる。
【００４７】
ここで、こうした公転噴射の様子を図でもって説明する。図８に示すように、上記のように噴射体２０が首振り公転を起こすと、噴射口２５は、噴射体２０の首振り公転に伴い噴射方向を変えながら公転する。よって、噴射口２５は、螺旋状に拡大した軌道を描きながら浴槽水を噴射し、その結果として、円錐状の公転噴射を実現する。
従って、浴槽水の噴射軌跡を、噴射口２５の軌跡よりはるかに大きい軌跡の円錐状の公転噴射の軌跡とし、広範囲に亘って人体のマッサージが出来る。
従って、本実施例のマッサージ浴槽装置１によれば、ノズル自体の駆動を伴うことなく円錐状の公転噴射を実現でき、これにより、広範囲の浴槽水着水、即ち広範囲のマサージを図ることができる。
【００４８】
しかも、こうした広範囲の噴射を図る上で、旋回室１５への浴槽水流入を図って旋回流を起こし、この旋回流により噴射体２０に首振り公転を起こせば足りる。つまり、広範囲噴射に際して、可動部材を、ノズル内に設けた旋回室１５に組み込める小さな噴射体２０だけとできる。加えて、噴射体２０の首振り公転を浴槽水の旋回流のみで起こしており、モータ等のアクチュエータを一切必要としない。  このため、本実施例のマッサージ浴槽装置１は、アクチュエータ駆動に基づく騒音や振動を発生させることがなく、静音性・静振性に非常に優れる。
又、装置が簡略化出来るので低コスト化やコンパクト化が可能である。
【００４９】
加えて、ギヤ等の噛み合わせも不要であることから、ゴミ等の噛み込みも無く、噴射の信頼性を高めることができる。このギヤ等が不要であることと相まって、噴射部位２２を小径として把持部３８で把持しているので、旋回室１５内の浴槽水圧力を受ける面積を小さくすることが可能となり、噴射体２０が公転する際の抵抗が小さく出来るので、噴射体２０の首振り公転に際し、エネルギーロスがなく、首振り公転の高速化をもたらすことができる。
【００５０】
また、移動部分が小さいことに加えて、アクチュエータ等の電気的駆動部を持たないので、マッサージ浴槽装置１の小型化を推進できる。さらに、電気的駆動部分の耐久性が問題になることがないと共に、ノズル先端までの電気的配線も要しない。よって、漏電等の配慮をも必要とせず、組み付け作業や保守作業の簡略化、構成の簡略化、延いてはコスト低減を図ることができる。
【００５１】
本実施例では、旋回室１５への浴槽水流入を図る旋回室流入路１１を通水断面積が小さなものとして、旋回室１５への流入浴槽水を流速を高めた。旋回室１５に流入する浴槽水流速は、既述したように揚力ＦＬを規定する。よって、通水断面積が種々のものとされた旋回室流入路１１を用意し、これらを選択的に使用すれば、受力部位２１に作用する揚力ＦＬの他、抗力・遠心力も調整できる。これら力は、噴射体２０の首振り公転の周波数も定める。よって、旋回室流入路１１の通水断面積調整、若しくは旋回室流入路１１の選択で、噴射体２０の首振り公転の周波数も調整できる。よって、次の利点がある。
【００５２】
浴槽水の噴射が人体等のマッサージ部位にあたる瞬間の力と面積をそれぞれＦ１、ΔＳとすると、人体がある瞬間に感じる浴槽水の噴射の強さはＦ１／ΔＳと規定できる。噴射体２０の首振り公転周波数をｆ１とし、この周波数で噴射が継続されている場合、周波数ｆ１の逆数である周期（Δｔ＝１／ｆ１）の時間間隔で人体等のマッサージ部位にあたる総面積Ｓは、この周期Δｔの間にΔＳを積分した値（Ｓ＝∫ΔＳ）となる。
【００５３】
一方、人が刺激を皮膚等を介して感じる時に、刺激を感じる受容器は、人や刺激を受ける場所によっても異なるが数Ｈｚ〜数百Ｈｚの範囲の刺激に対して、刺激を連続してもしくは、連続と同様な刺激を受けている様な錯覚を生じる。従って、ある瞬間に強さＦ１／ΔＳの刺激をΔｔの周期である軌道で移動（移動総軌跡Ｓ＝∫ΔＳ）した場合、人は強さＦ１／ΔＳの刺激を総面積Ｓで受けているように錯覚を生じる。この傾向はΔｔが小さいほど顕著に表れて、ｆ＝約３ＨｚすなわちΔｔ＝約０．３秒程度から感じ始める。
従って、旋回室流入路１１の通水断面積調整や旋回室流入路１１の選択を行って、噴射体２０の首振り公転周波数ｆ１を約３Ｈｚ以上とできる。こうすれば、マッサージの刺激を損なう（小さくする）ことなく噴射面積を大きくすることができる。
又、公転周波数ｆ１は、約１６０Ｈz程度にすれば、敏感な手や足の部位にあてても、連続した刺激として感じさせることが出来る。
【００５４】
マッサージ浴槽装置１では、旋回流に基づいて揚力を発生させ、この揚力を噴射体の首振り公転並びにその高速化に供している。つまり、浴槽水の運動エネルギを直に首振り公転に用いているわけではないので、流体素子を用いたものに比して、噴射の勢いの衰退を招かない。
また、実際にはマッサージポイントへの着水の推移を起こしていても上記の錯覚を起こすので、着水範囲の総てに同時に浴槽水が着水するような連続的な噴射を要しない。よって、その分、装置の小型化が可能である。
【００５５】
本実施例の噴射体２０では、旋回流の運動エネルギを直接受ける部位を円柱状としたが、その形状が円柱形状に限られるわけではなく、三角柱や四角柱、六角柱などの多角柱とすることもできる。
また、受力部位２１の重量にあっても、その形状や大きさや材質等により増減することができる。重量の増減により、受力部位２１に作用する抗力や揚力を受けた時の公転速度や、遠心力自体を増大・減少できるばかりか、テーパガイド部１４との摩擦力や、噴射体自体の慣性力を変えることができる。よって、噴射体２０の首振り公転の回転数を変えることもできる。
【００５６】
又、上記弾性体３０の材質としては、NBR、EPDM、シリコン、フッ素ゴム等の合成ゴムやポリエステル系、ポリスチレン系やポリオレフィン系の熱可塑性エラストマーで構成することが出来る。
一方、噴射体２０の材質としては、ＰＰ，ＰＯＭ，ＡＢＳといった合成樹脂等を採択することができる他、ステンレス等の金属としたり、受力部位だけを金属製とすることもできる。この場合、公転を行なう受力部位を重くすることで、公転運動に伴い発生する遠心力を大きくすることが可能となり、噴射体２０の傾きを大きくしたり、噴射体２０自体が重くなり慣性が大きくなることで、公転の周波数を小さくすることも出来る。
【００５７】
更には、弾性体３０の硬度や弾性係数や重さや形状を最適化して、弾性体３０の固有振動数を最適化する。こうした上で、弾性体３０の振動と噴射体２０の首振り公転による振動を共振させ、首振り公転巾（受力部位の傾斜程度）を大きくすることもできる。或いは、弾性体３０の固有振動数の調整を経て、噴射体２０の首振り公転による振動を弾性体３０で減衰させて防振効果を高めることも可能である。具体的には弾性体３０の硬度を非常に小さくしたり厚さを小さくして固有振動数を小さくすればよい。或いは、弾性体３０の硬度を大きくしたり厚さを大きくして固有振動数を大きくすればよい。
【００５８】
次に、別の変形例について説明する。この変形例は、噴射体の噴射によって、大気より空気を引き込み、浴槽水と一緒に浴槽内に噴射を行なう点に特徴がある。
図９は本発明の浴槽水噴射装置を適用した実施例のマッサージ浴槽装置１の全体構成図を説明する説明図である。
図示するように、マッサージ浴槽装置５１は、浴槽水を貯溜する浴槽２と、加圧装置として加圧循環ポンプ５と、ノズル５０、制御装置３、操作装置４で構成されている。
又、前記浴槽２には前記浴槽２内に開口した給水口７を有し、前記給水口７と前記加圧循環ポンプ５と前記ノズル５０とは、浴槽水を循環する為の循環路６により接続されている。
又、前記制御装置３には、前記操作装置４、加圧循環ポンプ５、電源が接続されており、前記加圧循環ポンプ５の運転を制御する様に構成されている。
ここで、前記操作装置４と前記制御装置３とはコード等により直接接続されていても良いし、赤外線等の電波信号により接続されていても良い。
又、給水口７には図示しないフィルターが備えられており、浴槽内のゴミが下流の加圧循環ポンプ５やノズル５０に行かない様に構成されている。
又、前記ノズル５０は、大気に連通し空気を前記ノズル５０へと導く空気通路５６を備えており、前記空気通路５６は大気開放場所に、空気吸入口５８を備えている。
このような構成における、浴槽水の流れについては、図１で説明したマッサージ浴槽装置１と同様であるので、省略する。
【００５９】
次に、ノズル５０について説明する。
図１０はノズル５０に関する詳細図を示している。
図１０に示す様に、ノズル５０は図４に示したノズル１０と同様に、旋回室１５、旋回室流入路１１、噴射体２０、テーパガイド部１４、弾性体３０を備えており、前記噴射体２０は前記把持部３８により、旋回室１５内に受力部位２１を配した状態で保持されている。
又、本実施例の構成においても、図４に示した実施例と同様に、循環水の旋回流をもって、噴射体２０に前述した種々の力を与えて、噴射体２０に首振り公転および噴射体軸まわりの自転運動を起こさせている。
又、前記弾性体３０は弾性体抑え３７によって、前記ノズル５０に固定されており、固定部３６を押し潰すことで、旋回室内を密閉している。又、前記弾性体抑えは、前記噴射口２５を浴槽内に開口させる開口部を有し、前記開口部には、前記噴射口２５近傍にあって、前記空気通路５６と連通した空気混入室５５を備えている。
【００６０】
この様な構成で、浴槽水がノズル５０より噴射される際の特徴を説明する。
図１１はノズル５０から浴槽水を噴射する様子を説明する図である。
図１１に示す様に、この様な構成で、加圧装置で加圧された浴槽水が噴射口２５より噴射されると、浴槽水は噴射口２５より噴射される時に、速度が速められた状態で前記空気混入室５５を貫通して浴槽内へ噴射される。
この噴射された浴槽水は、前記空気混入室５５内部の浴槽水を、噴射された浴槽水の粘性により引張って浴槽内へと噴射排出し、前記空気混入室内部の浴槽水を浴槽内へと排出した後、前記空気混入室５５に連通した大気から、噴射された該浴槽水と空気の表面摩擦抵抗により空気を前記空気混入室５５内に吸い込み、浴槽水と一緒に浴槽内へと噴射する。
【００６１】
この時、前記浴槽水と前記空気が空気混入室５５から噴射される際に、前述した様に噴射体は高速で公転しながら浴槽水を噴射するので、この噴射される浴槽水と空気も一緒に公転しながら噴射されることにより、前記空気は浴槽内の浴槽水によって引き千切られ、微細な気泡として、前記浴槽水と一緒に浴槽内に噴射される。
【００６２】
この様な、浴槽水噴射装置を用いて人体に浴槽水を当てた場合、前述した浴槽水の公転によるマッサージ効果や血行促進が得られるだけでなく、浴槽水の噴射に気泡を混入することで人体への刺激を適度に和らげることが出来る。
【００６３】
次に、浴槽内に空気を吸入する他の変形例について説明する。
図１２は本実施例におけるマッサージ浴槽装置７１の全体構成図である。
図示するように、マッサージ浴槽装置７１は、浴槽水を貯溜する浴槽２と、加圧装置として加圧循環ポンプ５と、ノズル７０、制御装置３、操作装置４を備えている。
又、前記浴槽２には前記浴槽２内に開口した給水口７を有し、前記給水口７と前記加圧循環ポンプ５と前記ノズル７０とは、浴槽水を循環する為の循環路６により接続されている。
又、前記制御装置３には、前記操作装置４、加圧循環ポンプ５、電源が接続されており、前記加圧循環ポンプ５の運転を制御する様に構成されている。
又、給水口７には図示しないフィルターが備えられている。
【００６４】
このような構成における、浴槽水が前記ノズル７０に送り込まれるまでの流れについては、前述した図１、図９に示した実施例と同様である。
又、前記ノズル７０は、大気に連通し空気を前記ノズル７０へと導く空気通路７６を備えており、前記空気通路７６は大気解放場所に、前記空気吸入口７８を備えている。
【００６５】
次に、ノズル７０について説明する。
図１３は前記ノズル７０に挿入され、浴槽水を噴射する噴射体８０を説明する図である。
図に示す様に、噴射体８０は浴槽水を噴射するの噴射口６５を備えた小径円柱の噴射部位６２と、この噴射部位に連続した大径円柱の受力部位６１を有する。この受力部位６１は、前述した例と同様に、弾性体３０により噴射部位６２が把持された状態で、前記旋回室１５内に設けられている。
又、前記受力部位６１は、前述した実施例と同様に、前記ノズル７０に設けられた旋回室１５内に位置して上記の旋回流から種々の力を受け、噴射体８０の首振り公転運動等に関与する。
又、噴射体８０は、前記噴射体８０の中心軸方向に、前記噴射口と貫通する給水管路７７を備え、この給水管路７７から、旋回室１５内の浴槽水を噴射口６５へと導く構成となっている。
【００６６】
又、前述した実施例と同様に、旋回室流入路１１は前記循環路６に接続され、且つ前記旋回室１５に偏心して連通して設けられているので、浴槽水が流入すると、この浴槽水は、旋回室１５の内周壁面に沿った受力部位６１周りの旋回流を引き起こす構成となっている。
【００６７】
又、弾性体３０は、噴射口６５を旋回室１５の外側に臨ませた状態で、噴射体８０を支持する。しかも、噴射体８０は、前記小径の噴射部位と前記把持部３８に挿入されているだけなので、噴射体８０を支持した上で、受力部位６１を旋回室１５内において各方向に傾斜可能とすると共に、この受力部位６１を傾斜した姿勢で首振り可能としている。
この公転は、受力部位６１と上記の旋回流で引き起こされるが、その詳細については、前述した実施例と同様、受力部位周りに発生する揚力、抗力、および公転開始とともに発生する遠心力により公転運動を行なう。
【００６８】
又、旋回室１５の下流壁は、図示するように噴射体６０の噴射部位６２の側で小径とされたテーパガイド部１４とされている。このテーパガイド部１４は、受力部位６１、延いては噴射体８０の最大傾斜角度を規制し、噴射体の公転角度を規制している。
【００６９】
又、前記噴射体８０に設けられた給水管路７７は、前記旋回室１５中心に開口し前記給水管路に向き合う様に、空気導入口７５を有しており、前記空気導入口７５は前記空気通路７６により、前記前記空気吸入口７８に連通している。
【００７０】
以上の構成で、前記マッサージ浴槽７１を運転させた時の、浴槽水および空気の流れについて説明する。
図１４は浴槽水が前記ノズル７０より浴槽内に噴射される時の特徴を説明する図である。
図示する様に、加圧循環ポンプ５で加圧された浴槽水が、前記ノズル７０に供給されると、前述した様に旋回流を発生させる。
又、旋回室１５に旋回流が発生すると前述した種々の作用により前記噴射体８０が公転運動を行なう。
又、前記旋回室１５内で旋回流が発生すると、浴槽水の流れ自体が遠心力を受けて、旋回室内壁側に偏り、旋回室中心の圧力が低下する。
又、本実施例では前記噴射体８０の噴射口６５の開口面積を図２で示した噴射体２０の噴射口２５より大きく設けており、浴槽水を前記噴射口６５より噴射するのに要する圧力、すなわち旋回室内の圧力を小さくできる様に設けてあるので、前述した様に旋回室中心の圧力が低下すると、容易に大気圧力以下になる。
【００７１】
又、前記旋回室１５の中心の圧力が下がると、前記空気吸入口７８が大気より空気を吸い込み、前記空気通路５０６、および前記空気導入口７５を通じて、旋回室中心へと空気を供給する。
【００７２】
又、前述した様に、浴槽水は前記旋回室１５内で旋回した後、前記旋回室１５中心に設けられた前記給水管路７７を通って、前記噴射口６５より浴槽内に噴射されるので、前記旋回室１５内に供給された空気は、この浴槽水と一緒に、前記給水管路７７を通って、前記噴射口６５より浴槽内に噴射される。
一方、噴射体８０は前記給水管路７７を前記空気導入口７５に向けた状態で、首振り公転を行なうので、前述した噴射体８０の首振り公転運動により、空気の吸込みが阻害されることはない。
【００７３】
又、前記給水管路７７に供給される浴槽水は、旋回方向に速度成分を保ったまま供給されるので、前記噴射口６５より噴射される際も旋回した状態で噴射される。又、前記噴射体８０は公転しながら浴槽水を噴射するので、前記給水管路７７に供給された空気は、前述した浴槽水自身の旋回と、噴射体８０の公転運動の影響を受けて、微細な気泡となり浴槽内へ噴射される。
【００７４】
又、さらに、噴射体８０は公転しながら浴槽水を噴射するので、この噴射される浴槽水と空気も一緒に公転しながら噴射されることにより、前記気泡は浴槽内の浴槽水によってさらに引き千切られ、さらに微細な気泡として、前記浴槽水と一緒に浴槽内に噴射される。
【００７５】
この様な、浴槽水噴射装置を用いて人体に浴槽水を当てた場合、前述した浴槽水の公転によるマッサージ効果や血行促進が得られるだけでなく、浴槽水の噴射に気泡を混入することで人体への刺激を適度に和らげることが出来る。
【図面の簡単な説明】
【図１】  マッサージ浴槽装置１を説明するための全体構成図である。
【図２】  噴射体２０の説明図であり、図２(ａ)は噴射体２０の縦断面図、図２(ｂ)は噴射体２０の外観図である。
【図３】  弾性体３０の断面図である。
【図４】  ノズル１０を断面視して説明するための説明図である。
【図５】  図４におけるＡＡ断面図である。
【図６】  旋回室１５に浴槽水が流入してからの受力部位２１の挙動とこの受力部位２１にかかる力の様子を時間経過に沿って説明する説明図である。
【図７】  弾性体３０に水圧が作用して、噴射体２０を把持する様子を説明した図である。
【図８】  受力部位２１がこうした挙動を採ることで得られる浴槽水噴射の様子を説明する説明図である。
【図９】  マッサージ浴槽装置５１を説明するための全体構成図である。
【図１０】  ノズル５０を断面視して説明するための説明図である。
【図１１】  ノズル５０からの浴槽水の噴射の様子を説明する説明図である。
【図１２】  マッサージ浴槽装置７１を説明するための全体構成図である。
【図１３】  ノズル７０を断面視して説明するための説明図である。
【図１４】  ノズル５０からの浴槽水の噴射の様子を説明する説明図である。
【符号の説明】
１…マッサージ浴槽装置
２…浴槽
３…制御装置
４…操作装置
５…加圧循環ポンプ
６…循環路
７…給水口
１０…ノズル
１１…旋回室流入路
１３…開口部
１４…テーパガイド部
１５…旋回室
２０…噴射体
２１…受力部位
２２…噴射部位
２３…給水管路
２５…噴射口
３０…弾性体
３５…屈曲部
３６…固定部
３７…弾性体抑え
３８…把持部
５０…ノズル
５１…マッサージ浴槽装置
５５…空気混入室
５６…空気通路
５８…空気吸入口
６１…受力部位
６２…噴射部位
６５…噴射口
７０…ノズル
７５…空気導入口
７６…空気通路
７７…給水管路
８０…噴射体
【図１】
0004029322.tif 000002
【図２】
0004029322.tif 000003
【図３】
0004029322.tif 000004
【図４】
0004029322.tif 000005
【図５】
0004029322.tif 000006
【図６】
0004029322.tif 000007
【図７】
0004029322.tif 000008
【図８】
0004029322.tif 000009
【図９】
0004029322.tif 000010
【図１０】
0004029322.tif 000011
【図１１】
0004029322.tif 000012
【図１２】
0004029322.tif 000013
【図１３】
0004029322.tif 000014
【図１４】
0004029322.tif 000015